(57)【要約】【課題】  一対のキャビネットを連結して構成される折り畳み式携帯端末機において、両キャビネットを閉じた場合に、一方のキャビネットに配備されたスピーカから発せられる音波が他方のキャビネットに配備されたマイクロフォンに伝わることのない折り畳み式携帯端末機を提供する。【解決手段】  本発明に係る折り畳み式携帯端末機は、マイクロフォン13を具えた本体キャビネット１と第１スピーカ27及び第２スピーカ210を具えた蓋体キャビネット２をヒンジ機構３を介して開閉可能に連結して構成され、蓋体キャビネット２は、その内面にスピーカ27の放音面と対向する複数の放音孔29を具えると共に、両キャビネット１、２の閉じ状態で放音孔29を塞ぐシャッター機構４を内蔵している。シャッター機構４は、両キャビネット１、２の開き状態で複数の放音孔29を開放すると共に、両キャビネット１、２の閉じ状態で複数の放音孔29を塞ぐ。【選択図】      図４
2005142834.tif 000002
【特許請求の範囲】
【請求項１】
本体キャビネット(１)と蓋体キャビネット(２)を互いに開閉可能に連結して構成され、蓋体キャビネット(２)には第１スピーカ(27)が配備され、蓋体キャビネット(２)の内面には、第１スピーカ(27)の放音面と対向する位置に、該第１スピーカ(27)から発せられる音波を通過させるための１或いは複数の放音孔(29)が開設されており、本体キャビネット(１)の内面には、両キャビネット(１)(２)を閉じた状態で放音孔(29)と対向することとなる位置に、１或いは複数の開口(19)が開設されており、本体キャビネット(１)には、前記開口(19)に集音面を向けたマイクロフォン(13)が配備されている折り畳み式携帯端末機において、
前記蓋体キャビネット(２)には、蓋体キャビネット(２)の背面に向けて音波を放出する第２スピーカ(210)が配備されており、何れか一方若しくは両方のキャビネットには、両キャビネット(１)(２)の閉じ状態で放音孔(29)を塞ぐ塞ぎ手段が設けられていることを特徴とする折り畳み式携帯端末機。
【請求項２】
塞ぎ手段は、両キャビネット(１)(２)の開き状態と閉じ状態を検知する検知手段と、該検知に応じて放音孔(29)を開閉するシャッター機構(４)とを具え、該シャッター機構(４)は、第１スピーカ(27)の放音面と放音孔(29)の対向面間に侵入可能に支持されているシャッター部材(40)と、前記検知に応じて該シャッター部材(40)を往復駆動する駆動機構(42)とを具え、シャッター部材(40)は、駆動機構(42)の動作により、両キャビネット(１)(２)の閉じ状態で前記対向面間に侵入して該放音孔(29)を塞ぐ一方、両キャビネット(１)(２)の開き状態で前記対向面間から脱出して該放音孔(29)を開放する請求項１に記載の折り畳み式携帯端末機。
【請求項３】
前記開口(19)と放音孔(29)は、両キャビネット(１)(２)の閉じ状態で互いに僅かにずれることとなる位置に設けられており、塞ぎ手段は、本体キャビネット(１)の内面領域の内、両キャビネット(１)(２)の閉じ状態で放音孔(29)と向かい合うこととなる位置に形成された突出部(43)を具え、該突出部(43)は、両キャビネット(１)(２)の閉じ状態で放音孔(29)を塞ぐ一方、蓋体キャビネット(２)を開いた状態で放音孔(29)から離脱する請求項１に記載の折り畳み式携帯端末機。
【請求項４】
前記突出部(43)は、弾性樹脂から形成されている請求項３に記載の折り畳み式携帯端末機。
【発明の詳細な説明】
【技術分野】
【０００１】
本発明は、折り畳み式携帯電話機の如く、一対の扁平なキャビネットを互いに開閉可能に連結して構成される折り畳み式携帯端末機に関するものである。
【背景技術】
【０００２】
近年、折り畳み式携帯電話機においては、小型化や薄型化が進むと共に多機能化が進んでおり、両キャビネットを閉じた状態でも通話やメールの送受信が可能な折り畳み式携帯電話機の開発が進んでいる(例えば特許文献１〜特許文献３参照)。
【０００３】
両キャビネットを閉じた状態でも通話を行なうことが可能な折り畳み式携帯電話機として、例えば図７及び図８に示す折り畳み式携帯電話機が提案されている。
該折り畳み式携帯電話機は、本体キャビネット(８)と蓋体キャビネット(９)をヒンジ機構(83)を介して開閉可能に連結して構成されており、本体キャビネット(８)の内面には複数の操作キー(81)及び送話部(82)が配備され、本体キャビネット(８)の内部には、送話部(82)に集音面を向けたマイクロフォン(84)が配備されている。蓋体キャビネット(９)の内面には、メインディスプレイ(91)が配備されると共に、両キャビネット(８)(９)を閉じた状態で送話部(82)と対向することとなる位置に第１受話部(92)が配備されており、蓋体キャビネット(９)の背面には、第２受話部(93)が配備されている。又、蓋体キャビネット(９)の内部には、第１受話部(92)に放音面を向けた第１スピーカ(94)が配備されると共に、第２受話部(93)に放音面を向けた第２スピーカ(95)が配備されている。
又、本体キャビネット(８)の送話部(82)の近傍には、第１凸部(85)が突設されると共に、蓋体キャビネット(９)には、第１受話部(92)の近傍に第２凸部(96)が突設されており、両凸部(85)(96)は、両キャビネット(８)(９)を閉じた状態で互いに当接する。
【０００４】
該折り畳み式携帯電話機において、図８に示す如く両キャビネット(８)(９)を閉じた場合、キャビネット開閉検出器(図示省略)によって両キャビネット(８)(９)を閉じたことが検出され、該検出に基づく検出信号が制御回路(図示省略)に供給される。制御回路は、前記検出信号に応じて、マイクロフォン(84)及び第２スピーカ(95)を機能させる。これによって、両キャビネット(８)(９)を閉じた状態で送受話が可能となる。従って、着信時に両キャビネット(８)(９)を開く必要はない。
【特許文献１】特開２００３−１８２５７号公報[H04M1／02]
【特許文献２】特開２００３−５１８７１号公報[H04M1／02]
【特許文献３】特開２００３−１３４２０１号公報[H04M1／02]
【発明の開示】
【発明が解決しようとする課題】
【０００５】
しかしながら、該折り畳み式携帯電話機において、図８に示す如く両キャビネット(８)(９)を閉じた状態で送受話を行なう場合、第２スピーカ(95)の振動が蓋体キャビネット(９)及び蓋体キャビネット(９)の内部の空気を介して第１スピーカ(94)に伝達され、これによって第１スピーカ(94)が振動するため、第１スピーカ(94)からは、第２スピーカ(95)から発せられる音波に近似した波形を有する音波が放出されることとなる。ここで、第１スピーカ(94)は、第１受話部(92)及び送話部(82)を介してマイクロフォン(84)と対向しているため、第１スピーカ(94)から発せられる音波がマイクロフォン(84)に伝わることとなり、この結果、第２スピーカ(95)とマイクロフォン(84)の間で、第１スピーカ(94)を介したハウリングが発生する問題があった。
【０００６】
そこで本発明の目的は、一対のキャビネットを連結して構成される折り畳み式携帯端末機において、両キャビネットを閉じた場合に、一方のキャビネットに配備されたスピーカから発せられる音波が他方のキャビネットに配備されたマイクロフォンに伝わることのない折り畳み式携帯端末機を提供することである。
【課題を解決するための手段】
【０００７】
本発明に係る折り畳み式携帯端末機は、本体キャビネット(１)と蓋体キャビネット(２)を互いに開閉可能に連結して構成されている。蓋体キャビネット(２)には第１スピーカ(27)が配備され、蓋体キャビネット(２)の内面には、第１スピーカ(27)の放音面と対向する位置に、該第１スピーカ(27)から発せられる音波を通過させるための１或いは複数の放音孔(29)が開設されている。又、本体キャビネット(１)の内面には、両キャビネット(１)(２)を閉じた状態で放音孔(29)と対向することとなる位置に、１或いは複数の開口(19)が開設されており、本体キャビネット(１)には、前記開口(19)に集音面を向けたマイクロフォン(13)が配備されている。
前記蓋体キャビネット(２)には、蓋体キャビネット(２)の背面に向けて音波を放出する第２スピーカ(210)が配備されており、何れか一方若しくは両方のキャビネットには、両キャビネット(１)(２)の閉じ状態で放音孔(29)を塞ぐ塞ぎ手段が設けられている。
【０００８】
上記本発明に係る折り畳み式携帯端末機においては、両キャビネット(１)(２)を閉じることにより、本体キャビネット(１)のマイクロフォン(13)と蓋体キャビネット(２)の第１スピーカ(27)が開口(19)及び放音孔(29)を介して互いに対向することとなる。このとき、マイクロフォン(13)と第２スピーカ(210)が共に本体キャビネット(１)の背面側とは反対側を向いており、この状態でマイクロフォン(13)及び第２スピーカ(210)を機能させることにより、ユーザは、マイクロフォン(13)及び第２スピーカ(210)を手前に向けて送受話を行なうことが出来る。
【０００９】
このとき、第２スピーカ(210)から発せられる音波は、蓋体キャビネット(２)及び蓋体キャビネット(２)内部の空気を介して第１スピーカ(27)に伝達され、これに伴って第１スピーカ(27)が振動するため、第１スピーカ(27)からは前記音波に近似した波形を有する音波が放出される。しかしながら、該音波を蓋体キャビネット(２)の外部に放出するための放音孔(29)は、塞ぎ手段によって塞がれているため、該音波は、僅かに蓋体キャビネット(２)の外部に放出されるに過ぎない。又、蓋体キャビネット(２)の外部に放出された音波は、開口(19)を通過して本体キャビネット(１)内部に到達する過程で減衰するため、該音波がマイクロフォン(13)に伝わることはない。
【００１０】
又、両キャビネット(１)(２)を開いた場合には、塞ぎ手段によって放音孔(29)が塞がれた状態が解除されて、放音孔(29)は開放される。この状態でマイクロフォン(13)と第１スピーカ(27)を機能させることにより、ユーザは、前記開口(19)に口元を近づけると共に放音孔(29)に耳元を近づけた姿勢で送受話を行なうことが出来る。
【００１１】
具体的構成において、塞ぎ手段は、両キャビネット(１)(２)の開き状態と閉じ状態を検知する検知手段と、該検知に応じて放音孔(29)を開閉するシャッター機構(４)とを具えている。又、該シャッター機構(４)は、第１スピーカ(27)の放音面と放音孔(29)の対向面間に侵入可能に支持されているシャッター部材(40)と、前記検知に応じて該シャッター部材(40)を往復駆動する駆動機構(42)とを具えている。シャッター部材(40)は、駆動機構(42)の動作により、両キャビネット(１)(２)の閉じ状態で前記対向面間に侵入して該放音孔(29)を塞ぐ一方、両キャビネット(１)(２)の開き状態で前記対向面間から脱出して該放音孔(29)を開放する。
【００１２】
該具体的構成においては、両キャビネット(１)(２)を閉じると、検知手段が両キャビネット(１)(２)の閉じ状態を検知し、該検知に応じて駆動機構(42)が動作し、該動作によって、シャッター部材(40)が第１スピーカ(27)の放音面と放音孔(29)の対向面間に侵入して該放音孔(29)を塞ぐ。この結果、第２スピーカ(210)の振動に伴って第１スピーカ(27)から発せられた音波は、僅かに蓋体キャビネット(２)の外部に放出されるに過ぎず、該音波が本体キャビネット(１)の開口(19)を通過してマイクロフォン(13)に伝わることはない。
【００１３】
又、両キャビネット(１)(２)を開くと、検知手段が両キャビネット(１)(２)の開いた状態を検知し、該検知に応じて駆動機構(42)が動作し、該動作によってシャッター部材(40)が前記対向面間から脱出する。この結果、放音孔(29)が開放されることとなり、この状態で第１スピーカ(27)を機能させることにより、第１スピーカ(27)から発せられる音波は放音孔(29)を通過して蓋体キャビネット(２)の外部に放出されることとなる。従って、ユーザは、放音孔(29)に耳元を近づけることにより、第１スピーカ(27)から発せられる通信相手からの音声を聞き取ることが出来る。
【００１４】
他の具体的構成において、前記開口(19)と放音孔(29)は、両キャビネット(１)(２)の閉じ状態で互いに僅かにずれることとなる位置に設けられており、塞ぎ手段は、本体キャビネット(１)の内面領域の内、両キャビネット(１)(２)を閉じた状態で放音孔(29)と向かい合うこととなる位置に形成された突出部(43)を具えている。該突出部(43)は、両キャビネット(１)(２)の閉じ状態で放音孔(29)を塞ぐ一方、蓋体キャビネット(２)を開いた状態で放音孔(29)から離脱する。
【００１５】
該具体的構成においては、両キャビネット(１)(２)を閉じることによって、本体キャビネット(１)内面の突出部(43)が蓋体キャビネット(２)内面に当接し、該突出部(43)によって放音孔(29)が塞がれる。
又、両キャビネット(１)(２)を開くことによって、突出部(43)が放音孔(29)から離脱し、これによって放音孔(29)は開放される。この結果、第１スピーカ(27)から発せられる音波は放音孔(29)を通過して蓋体キャビネット(２)の外部に放出される。
【００１６】
更に具体的な構成において、前記突出部(43)は、弾性樹脂から形成されている。
該具体的構成において、両キャビネット(１)(２)を閉じた場合、第１スピーカ(27)から発せられる音波は、放音孔(29)を塞いでいる突出部(43)の弾性によって効果的に吸収される。
【発明の効果】
【００１７】
本発明に係る折り畳み式携帯端末機によれば、両キャビネットを閉じた場合に、一方のキャビネットに配備されたスピーカから発せられる音波が他方のキャビネットに配備されたマイクロフォンに伝わることによるハウリングが防止される。
【発明を実施するための最良の形態】
【００１８】
以下、本発明を折り畳み式携帯電話機に実施した形態につき、図面に沿って具体的に説明する。
第１実施例
本実施例の折り畳み式携帯電話機は、図１及び図２に示す如く、本体キャビネット(１)にヒンジ機構(３)を介して蓋体キャビネット(２)を連結して構成され、本体キャビネット(１)の内面と蓋体キャビネット(２)の内面を互いに対向させて本体キャビネット(１)と蓋体キャビネット(２)を折り畳むことが可能となっている。蓋体キャビネット(２)は、内面キャビネット半体(25)と背面キャビネット半体(26)を接合して構成されており、本体キャビネット(１)も蓋体キャビネット(２)と同様の構成を有している。
【００１９】
図１に示す如く、本体キャビネット(１)の内面には、複数の操作キー(11)が配備され、該操作キー(11)の下方には、送話部(12)が凹設されており、該送話部(12)には、本体キャビネット(１)の内面側から内部に向けて貫通した開口(19)が形成されている。該本体キャビネット(１)の内部には、前記開口(19)に集音面を向けたマイクロフォン(13)が配備されている。又、ヒンジ機構(３)側の端部には、キャビネット開閉検出スイッチ(15)が配備されており、本体キャビネット(１)の側面には、サイドキー(14)が配備されている。
【００２０】
蓋体キャビネット(２)の内面には、メインディスプレイ(20)が配備され、該メインディスプレイ(20)の上方には、両キャビネット(１)(２)を閉じた状態で送話部(12)と対向することとなる位置に、受話部(21)が配備されており、蓋体キャビネット(２)の内部には、受話部(21)に放音面を向けた第１スピーカ(27)が配備されている。該受話部(21)には、第１スピーカ(27)からの音波を通過させるための複数の放音孔(29)が開設されている。又、メインディスプレイ(20)の下方には、両キャビネット(１)(２)を閉じることによってキャビネット開閉検出スイッチ(15)を押圧する押圧ピン(24)が突設されている。
【００２１】
図２に示す如く、蓋体キャビネット(２)の背面には、サブディスプレイ(22)が配備されると共に、該サブディスプレイ(22)とヒンジ機構(３)との間には放音部(23)が配備され、蓋体キャビネット(２)の内部には、該放音部(23)に放音面を向けた第２スピーカ(210)が配備されている。
【００２２】
図３に示す如く、蓋体キャビネット(２)の内部に配備された第１スピーカ(27)は、一対のスピーカ保持部材(28)(28)に保持された状態で固定されており、一方のスピーカ保持部材(28)の側方には、両キャビネット(１)(２)の開閉に応じて複数の放音孔(29)を開閉するシャッター機構(４)が配備されている。
【００２３】
該シャッター機構(４)は、内面キャビネット半体(25)の裏面に沿って摺動可能に枢支された帯状のシャッター部材(40)と、該シャッター部材(40)を収容すべきシャッター収容室(41)と、両キャビネット(１)(２)の開閉に応じてシャッター部材(40)を往復駆動する駆動機構(42)とから構成されており、シャッター部材(40)は、駆動機構(42)の動作によって、図３の如くシャッター収容室(41)に収容された収容位置と、図４の如く第１スピーカ(27)の放音面と複数の放音孔(29)の対向面間に侵入して該複数の放音孔(29)を塞ぐ塞ぎ位置との間で、内面キャビネット半体(25)の裏面に沿って摺動することが可能である。
【００２４】
上記本実施例の折り畳み式携帯電話機をポケットや鞄に入れて携帯する場合には、図１の如く両キャビネット(１)(２)を開いた状態から両キャビネット(１)(２)を折り畳み、図２の如く両キャビネット(１)(２)を閉じる。これによって、図１に示すメインディスプレイ(20)及び複数の操作キー(11)は両キャビネット(１)(２)の内側に隠れることになる。この際、メインディスプレイ(20)が外力の作用によって破損する虞はなく、又、複数の操作キー(11)が外力の作用により押圧されて誤作動が生じる虞はない。
【００２５】
このとき、図４に示す如く、キャビネット開閉検出スイッチ(15)が押圧ピン(24)に押圧されてオン状態となり、本体キャビネット(１)に内蔵された制御回路(図示省略)に該オン状態を通知する信号が供給される。制御回路は、該信号に基づいて、両キャビネット(１)(２)が閉じられたことを検知し、該検知信号をシャッター機構(４)の駆動機構(42)に供給する。駆動機構(42)は該検知信号に応じて、シャッター部材(40)を図３に示す収容位置から図４に示す塞ぎ位置まで摺動させる。これによって、複数の放音孔(29)はシャッター部材(40)によって塞がれ、第１スピーカ(27)から発せられる音波を蓋体キャビネット(２)の外部に放出するための通路が遮断される。
【００２６】
この状態でサイドキー(14)を押下してハンズフリーモードに設定することにより、該折り畳み式携帯電話機を手で保持することなく、机の上に置いた状態で送受話を行なうことが可能である。
このとき、制御回路は、キャビネット開閉検出スイッチ(15)からの前記信号と、ハンズフリーモードに設定されたことに応じて、マイクロフォン(13)と第２スピーカ(210)を機能させる。又、送話部(12)は、本体キャビネット(１)の内面に凹設されているため、両キャビネット(１)(２)を閉じた場合にも、送話部(12)の開口(19)が蓋体キャビネット(２)の内面によって塞がれることはない。
この状態で、本体キャビネット(１)の背面を机の表面に接触させて両キャビネット(１)(２)を机の上に置くことにより、放音部(23)及び送話部(12)はユーザと対向することとなり、放音部(23)から通話相手の音声が発せられると共に、送話部(12)によってユーザの音声が集音されることによって、送受話が行なわれる。
【００２７】
このとき、第２スピーカ(210)の振動が蓋体キャビネット(２)及び蓋体キャビネット(２)の内部の空気を介して第１スピーカ(27)に伝達され、これに伴って第１スピーカ(27)が振動し、これによって、該１スピーカ(27)からは、第２スピーカ(210)から発せられる音波に近似した波形を有する音波が発せられることになる。しかしながら、複数の放音孔(29)は、シャッター部材(40)によって塞がれているため、第１スピーカ(27)から発せられる音波は、僅かに蓋体キャビネット(２)の外部に放出されるに過ぎない。又、蓋体キャビネット(２)の外部に放出された音波は、送話部(12)の開口(19)を通過して本体キャビネット(１)の内部に到達する過程で減衰するため、該音波がマイクロフォン(13)に伝わることはない。
従って、第２スピーカ(210)とマイクロフォン(13)の間で、第１スピーカ(27)を介したハウリングが生じることはなく、通話相手に不快感を与える虞はない。
【００２８】
又、上記本実施例の折り畳み式携帯電話機においては、図１に示す如く両キャビネット(１)(２)を開いた状態で、送受話、メールの送受信及び送信メールの作成を行なうことが出来る。
両キャビネット(１)(２)を開くことにより、蓋体キャビネット(２)内面のメインディスプレイ(20)及び受話部(21)が露出すると共に、本体キャビネット(１)内面の操作キー(11)及び送話部(12)が露出する。このとき、キャビネット開閉検出スイッチ(15)は、押圧ピン(24)による押圧が解除されてオフ状態となり、制御回路はこれに応じて、マイクロフォン(13)及び第１スピーカ(27)を機能させる。
【００２９】
又、制御回路は、シャッター機構(４)の駆動機構(42)を動作させ、これによってシャッター部材(40)は、図４に示す塞ぎ位置から図３に示す収容位置まで摺動する。この結果、複数の放音孔(29)は開放され、第１スピーカ(27)から発せられる音波は複数の放音孔(29)を通過して蓋体キャビネット(２)の外部に放出される。
【００３０】
従って、着信時には、操作キー(11)によるオフフック操作を行なうことによって通話可能状態となり、ユーザは、受話部(21)を耳元に近づけると共に送話部(12)を口元に近づけて該着信に応答することが出来る。
【００３１】
又、メールの受信時には、操作キー(11)を操作することにより、メインディスプレイ(20)の画面に該受信メールの内容を表示してその内容を確認することが出来る。メール作成時には、操作キー(11)を操作することにより、メインディスプレイ(20)の画面にユーザが作成した文章が表示される。
【００３２】
上記本実施例の折り畳み式携帯電話機によれば、両キャビネット(１)(２)の開閉に応じて受話部(21)の複数の放音孔(29)が開閉することとなり、両キャビネット(１)(２)を閉じた状態で第２スピーカ(210)とマイクロフォン(13)を同時に機能させた場合にも、第２スピーカ(210)とマイクロフォン(13)の間でハウリング現象が発生することはなく、良好な通話状態でハンズフリーによる送受話が行なわれる。
【００３３】
第２実施例
図５及び図６に示す本実施例の折り畳み式携帯電話機は、放音孔(29)を塞ぐ構造において上記第１実施例と異なるが、他の構造は第１実施例と同じであるので、放音孔(29)を塞ぐ構造についてのみ説明し、他の構造については同じ符号を付して説明を省略する。
【００３４】
本実施例の折り畳み式携帯電話機は、図５に示す如く、蓋体キャビネット(２)の受話部(21)が上記第１実施例よりもメインディスプレイ(20)に近接した位置に配備されており、これによって、図６に示す如く、両キャビネット(１)(２)を閉じた場合に、該受話部(21)と本体キャビネット(１)の送話部(12)とが両キャビネット(１)(２)の連結方向に互いに僅かにずれることになる。
【００３５】
又、本体キャビネット(１)の内面には、両キャビネット(１)(２)を閉じた状態で蓋体キャビネット(２)の受話部(21)と対向することとなる位置に、弾性樹脂製の平板状の突出部(43)が配備されている。
【００３６】
上記本実施例の折り畳み式携帯電話機においては、両キャビネット(１)(２)を閉じることによって、本体キャビネット(１)内面の突出部(43)が蓋体キャビネット(２)内面に当接し、該突出部(43)によって放音孔(29)が塞がれ、第１スピーカ(27)から発せられる音波を蓋体キャビネット(２)の外部に放出するための通路が遮断される。
【００３７】
この状態でハンズフリーモードを設定すると、制御回路は、キャビネット開閉検出スイッチ(15)のオン状態を通知する信号と、ハンズフリーモードに設定されたことに応じて、マイクロフォン(13)と第２スピーカ(210)を機能させる。これによって、蓋体キャビネット(２)背面の放音部(23)の第２スピーカ(210)から通話相手の音声が発せられると共に、送話部(12)のマイクロフォン(13)によってユーザの音声が集音される。
【００３８】
このとき、第２スピーカ(210)の振動に伴って第１スピーカ(27)も振動し、これによって、第１スピーカ(27)から音波が発せられる。しかしながら、第１スピーカ(27)からの音波を通過させるための複数の放音孔(29)は、弾性樹脂製の突出部(43)によって塞がれているため、前記音波は突出部(43)の弾性によって効果的に吸収され、殆ど蓋体キャビネット(２)の外部へ放出されることはない。この結果、極めて僅かな音波が蓋体キャビネット(２)の外部に放出されるに過ぎず、該音波が本体キャビネット(１)の開口(19)を通過してマイクロフォン(13)に伝わることはない。
【００３９】
両キャビネット(１)(２)を開くことにより、本体キャビネット(１)の突出部(43)は蓋体キャビネット(２)の放音孔から離脱し、これによって、放音孔(29)は開放される。このとき、キャビネット開閉検出スイッチ(15)は、押圧ピン(24)による押圧が解除されてオフ状態となり、制御回路はこれに応じて、マイクロフォン(13)及び第１スピーカ(27)を機能させる。
従って、着信時には、操作キー(11)によるオフフック操作を行なうことによって通話可能状態となり、ユーザは、受話部(21)を耳元に近づけると共に送話部(12)を口元に近づけて該着信に応答することが出来る。
【００４０】
上記本実施例の折り畳み式携帯電話機によれば、本体キャビネット(１)の内面に弾性樹脂製の突出部を配備する簡易な構成で、両キャビネット(１)(２)の開閉に応じて受話部(21)の複数の放音孔(29)を開閉させることが可能であり、これによって、両キャビネット(１)(２)を閉じた状態で第２スピーカ(210)とマイクロフォン(13)を機能させた場合にも、第２スピーカ(210)とマイクロフォン(13)の間で、第１スピーカ(27)を介したハウリングが生じることはない。
【図面の簡単な説明】
【００４１】
【図１】本発明の第１実施例の折り畳み式携帯電話機の開き状態の斜視図である。
【図２】該折り畳み式携帯電話機の閉じ状態の斜視図である。
【図３】該折り畳み式携帯電話機の開き状態の一部破断正面図である。
【図４】該折り畳み式携帯電話機の閉じ状態の一部破断正面図である。
【図５】本発明の第２実施例の折り畳み式携帯電話機の開き状態の斜視図である。
【図６】該折り畳み式携帯電話機の閉じ状態の断面図である。
【図７】従来の折り畳み式携帯電話機の開き状態の断面図である。
【図８】該折り畳み式携帯電話機の閉じ状態の断面図である。
【符号の説明】
【００４２】
(１)  本体キャビネット
(11)  操作キー
(12)  送話部
(13)  マイクロフォン
(15)  キャビネット開閉検出スイッチ
(19)  開口
(２)  蓋体キャビネット
(20)  メインディスプレイ
(21)  受話部
(23)  放音部
(24)  押圧ピン
(27)  第１スピーカ
(29)  放音孔
(210) 第２スピーカ
(３)  ヒンジ機構
(４)  シャッター機構
(40)  シャッター部材
(42)  駆動機構
(43)  突出部
【図１】
2005142834.tif 000003
【図２】
2005142834.tif 000004
【図３】
2005142834.tif 000005
【図４】
2005142834.tif 000006
【図５】
2005142834.tif 000007
【図６】
2005142834.tif 000008
【図７】
2005142834.tif 000009
【図８】
2005142834.tif 000010